【手続補正書】
【提出日】平成23年4月26日(2011.4.26)
【手続補正１】
【補正対象書類名】特許請求の範囲
【補正対象項目名】全文
【補正方法】変更
【補正の内容】
【特許請求の範囲】
【請求項１】
下記を含む、布帛製品を清浄するための洗浄剤組成物；
（ａ）少なくとも１種の洗浄性界面活性剤；並びに
（ｂ）アミノシリコーン、ジェミニ界面活性剤、洗浄性ビルダー、漂白剤、過化合物漂白剤用の活性剤、第２の防汚剤、汚物懸濁化剤、第２の汚物再付着防止剤、泡抑制剤及び布帛柔軟剤から成る群の少なくとも１つの要素；
（ｃ）（Ｉ）下記から選択される水溶性又は分散性の有機リン材料；
（ｃ）（Ｉ）（１）次の構造（Ｉ）に従う有機リン化合物：
【化１】
2010530025.tif 000001
（式中、
各Ｒ1及び各Ｒ2は、独立して、存在しないか又はＯであるが、Ｒ1及びＲ2の少なくとも一方はＯであり、
各Ｒ3は、独立して、所望により、アルキレンオキシ又はポリ（アルキレンオキシ）基の１つ又は２つ以上の炭素原子上に、ヒドロキシル、アルキル、ヒドロキシアルキル、アルコキシ、アルケニル、アリール又はアリールオキシにより置換されてもよいアルキレンオキシ又はポリ（アルキレンオキシ）であり、
Ｒ5及び各Ｒ4は、独立して、存在しないか、あるいは所望により、アルキレンオキシ又はポリ（アルキレンオキシ）基の１つ又は２つ以上の炭素原子上に、ヒドロキシル、アルキル、ヒドロキシアルキル、アルコキシ、アルケニル、アリール又はアリールオキシにより置換されてもよいアルキレンオキシ又はポリ（アルキレンオキシ）であり、
Ｒ6及びＲ8は、それぞれ、そして各Ｒ7は、独立して、Ｈ若しくは（Ｃ1〜Ｃ30）炭化水素、又は−ＰＯＲ9Ｒ10であり、前記炭化水素は、１つ若しくは２つ以上の炭素原子上に、ヒドロキシル、フッ素、アルキル、アルケニル若しくはアリールにより所望により置換されていてもよく、そして／又は１若しくは２以上の位置のところで、Ｏ，Ｎ若しくはＳヘテロ原子により所望により割り込まれてもよく、
Ｒ9及びＲ10は、それぞれ独立して、ヒドロキシル、アルコキシ、アリールオキシ又は（Ｃ1〜Ｃ30）炭化水素であり、前記炭化水素は、１つ若しくは２つ以上の炭素原子上に、ヒドロキシル、フッ素、アルキル、アルケニル若しくはアリールで所望により置換されていてもよく、そして／又は１若しくは２以上の位置において、Ｏ，Ｎ若しくはＳヘテロ原子により割り込まれてもよく、そして
ｍは、１〜５の整数である）；
（ｃ）（Ｉ）（２）構造（Ｉ）に従う有機リン化合物の塩；
（ｃ）（Ｉ）（３）構造（Ｉ）に従う１種又は２種以上の有機リン化合物の２又は３以上の分子の縮合反応生成物；及び
（ｃ）（Ｉ）（４）  （ｃ）（Ｉ）（１）、（ｃ）（Ｉ）（２）及び（ｃ）（Ｉ）（３）の、２種又は３種以上の、化合物、塩及び／又は反応生成物を含む混合物：
ただし、前記洗浄剤組成物の１０％水性溶液は、４〜１２のｐＨを有する。
【請求項２】
（ａ）少なくとも０．０１〜９５重量％の前記洗浄性界面活性剤、前記洗浄性界面活性剤は、アニオン性、非イオン性、カチオン性、双極性及び両性界面活性剤、並びにそれらの混合物から成る群から選択される；
（ｂ）０〜３０重量％の前記漂白剤、及び０〜１０重量％の、非綿布帛に対して有効な防汚性を有する前記第２の防汚剤；並びに
（ｃ）０．０１〜１０重量％の前記水溶性又は分散性の有機リン材料：
を含む、請求項１に記載の組成物。
【請求項３】
（ａ）少なくとも０．０１〜９５重量％の前記洗浄性界面活性剤、前記洗浄性界面活性剤は、アニオン性、非イオン性、カチオン性、双極性及び両性界面活性剤、並びにそれらの混合物から成る群から選択される；
（ｂ）１〜５重量％の、非綿布帛に対して有効な防汚性を有する前記第２の防汚剤、及び０〜３０重量％の前記漂白剤；
（ｃ）０．０１〜１０重量％の前記水溶性又は分散性の有機リン材料：
を含む、請求項１に記載の組成物。
【請求項４】
ビルダー、蛍光増白剤、漂白剤効果促進剤、漂白剤活性剤、転染剤、分散剤、酵素、染料、香料、着色剤、フィラー塩、ヒドロトロープ、及びそれらの混合物から成る群の要素をさらに含む、請求項１〜３のいずれか一項に記載の組成物。
【請求項５】
（ｂ）（ＩＩ）下記から選択されるビニルアルコール材料；
（ｂ）（ＩＩ）（１）次の構造（Ｉ−ａ）に従うモノマー単位を含むポリマー：
【化２】
2010530025.tif 000002
（ｂ）（ＩＩ）（２）ポリマー（ｂ）（ＩＩ）（１）の塩；
（ｂ）（ＩＩ）（３）１種又は２種以上のポリマー（ｂ）（ＩＩ）（１）の２又は３以上の分子の反応生成物；並びに
（ｂ）（ＩＩ）（４）  （ｂ）（ＩＩ）（１）、（ｂ）（ＩＩ）（２）及び（ｂ）（ＩＩ）（３）の、２又は３以上の、ポリマー、塩及び／又は反応生成物を含む混合物：
をさらに含む、請求項１〜４のいずれか一項に記載の組成物。
【請求項６】
前記有機リン材料が、前記組成物の０．０１〜１０重量％を表す、請求項１〜５のいずれか一項に記載の組成物。
【請求項７】
一又は複数の前記表面活性剤が、前記組成物の０．００５〜６０重量％を表す、請求項１〜６のいずれか一項に記載の組成物。
【請求項８】
一又は複数の前記表面活性剤が、前記組成物の０．５〜４０重量％を表す、請求項１〜７のいずれか一項に記載の組成物。
【請求項９】
前記第２の防汚剤が、事前形成された、実質的に直鎖のエステルオリゴマーのスルホン化生成物を含む、スルホン化オリゴマーエステル組成物を含み、前記直鎖のエステルオリゴマーは、１モルあたり、下記；
ａ）２モルの末端単位、ここで、前記末端単位の１モル〜２モルが、アリルアルコール及びメディアリルアルコールから成る群から選択されるオレフィン系不飽和成分に由来し、そして前記末端単位の残余は、前記直鎖エステルオリゴマーの他の単位である；
ｂ）１モル〜４モルの非イオン性親水性単位、前記親水性単位は、アルキレンオキシドに由来し、前記アルキレンオキシドは、５０％〜１００％のエチレンオキシドを含む；
ｃ）１．１モル〜２０モルの、アリールジカルボニル成分に由来する繰返し単位、ここで、前記アリールジカルボニル成分は、５０％〜１００％のジメチルテレフタレートを含んで成り、それにより前記ジメチルテレフタレートに由来する繰返し単位が、テレフタロイルである；及び
ｄ）０．１モル〜１９モルの、Ｃ２〜Ｃ４グリコールから成る群から選択されるジオール成分に由来する繰返し単位、ここで、前記スルホン化オリゴマーエステル組成物のスルホン化の程度は、前記末端単位が、ｅ）１モル〜４モルの、式：−ＳＯxＭ（式中、ｘは２又は３である）の末端単位置換基により化学的に変性される程度であり、前記末端単位置換基は、ＨＳＯ3Ｍ（式中、Ｍは、一般的な水溶性カチオンである）から成る群から選択されるビスルファイト成分に由来する：
を含む、請求項１〜８のいずれか一項に記載の組成物。
【請求項１０】
Ｒ6及びＲ8が、それぞれ、そして各Ｒ7が、独立して、Ｈ、又は−ＰＯＲ9Ｒ10であり、そしてＲ9及びＲ10が、それぞれ独立して、ヒドロキシルである、請求項１〜９のいずれか一項に記載の組成物。
【請求項１１】
ｍが、２〜５の整数である、請求項１〜１０のいずれか一項に記載の組成物。
【請求項１２】
前記有機リン化合物が、下記；
（Ｘ）（１）次の構造（ＩＸ）に従う有機リン化合物：
【化３】
2010530025.tif 000003
（式中、
ｐは２、３又は４であり、
ｒは４〜５０の数である）；
（ＩＸ）（２）構造（ＩＸ）に従う有機リン化合物の塩；並びに
（ＩＸ）（３）  （ＩＸ）（１）及び（ＩＸ）（２）の、２種又は３種以上の、化合物及び／又は塩を含む混合物：
から選択される、請求項１〜１１のいずれか一項に記載の組成物。
【請求項１３】
有効量の請求項１〜１２のいずれか一項に記載の洗浄剤組成物を、清浄することが必要な布帛製品に適用するステップ：
を含む、洗浄媒体中の布帛製品を清浄するための方法。
【請求項１４】
清浄することが必要な綿布帛を、有効量の請求項１〜１２のいずれか一項に記載の洗浄剤組成物と接触させるステップ：
を含む、綿布帛からの汚物の剥離を提供するための方法。